(57)【特許請求の範囲】
【請求項１】
パイプ材の先端にライトを設けたライトアームやアーム形状を成したハンガーフックなどの様なアーム部材であってパーティションや陳列棚などの所定箇所に取り付けるアーム部材と、この取り付けの際には取り付ける所定箇所に予め設けておき前記アーム部材の取り付け台座を成す笠木と、からなるアーム部材の取付構造であって、
前記アーム部材は、軸部とこの軸部の先端側に設けられるアームと前記軸部の基端側に設けられるアンカー部を有し、
前記笠木は、前記軸部の基端側を挿入させる挿入部と、前記基端側の前記アンカー部を抜止めさせる抜止め部と、前記挿入部の所定周囲に立設した立設部とを有し、
前記抜止め部は、前記軸部の基端側を前記挿入部に挿入すると共にこの軸部を軸とした回動操作を所定の角度位置まですることにより前記アンカー部に係止して抜止めを成し、その際には前記アームが前記笠木の立設部に載った状態での下支え状態に支持されると共に、前記軸部を回動操作前の角度位置に戻すことにより前記抜止めが解除される様に形成され、
前記立設部は、前記挿入部を中心に挟む位置に対峙して二つ設けられ、更に軸部には前記二つの立設部の間隔長を直径とすると共に前記軸部を中心とする周面を有すフランジ部が設けられることにより、前記軸部を前記挿入部に挿入して回動操作を行う際には、前記フランジ部が立設部の側部に摺動ガイドされて前記軸部の回動の中心決めを成し、且つ、前記軸部を前記フランジ部によって横支え状態に支持することを特徴とするアーム部材の取付構造。
【請求項２】
軸部には挿入部に臨んで進退可能な回止め部が装着され、
前記回止めは、前記軸部を所定の角度位置へ回動操作したときに挿入部に係止して軸部の回動を規制することを特徴とする請求項１記載のアーム部材の取付構造。
【請求項３】
挿入部が二の長尺材を平行配置に設けてなす均一幅の挿入溝として形成されると共に、前記長尺材が抜止め部を成し、
軸部に設けられたアンカー部は、前記挿入溝に挿入可能な形状であると共に、挿入して所定の角度位置に回動することにより前記抜止め部に係止する形状であることを特徴とする請求項１又は２に記載のアーム部材の取付構造。
【発明の詳細な説明】
【０００１】
【発明の属する技術分野】
本願発明は、パーテーションや陳列棚等（以下、代表してパーテーション等という）の上方など所定の箇所に取り付け用の台座を予め設けておき、ここにアームの先端にライトを設けたライトアームやハンガー用のフック、掲示板の掲示フックなどに用いることのできるアーム部材を取り付ける取付構造に関し、着脱が容易で、取付強度の強い取付構造の改良に関するものである。
【０００２】
【従来技術】
従来、パーテーション等に取り付けるライトには、図１２に示すようなクリップ止めするライトが提供されていた。このライトはステンレスパイプなどのアームの先端にライトが設けられ、アーム基端に設けられたクリップをパーテーション等の上方に挟ませて取り付ける。或いは、パーテーション等の上方にハンガー用のフックや、掲示板その他ディスプレイ品用の支持材として、アーム状の支持部材を用いることがあり、これらもまた、クリップで挟む方法で取り付ける。
【０００３】
【発明が解決しようとする課題】
しかし、クリップの挟む力では支持力が不十分であり、パーティションに挟んで止めてもアームの首が下がってくるなど姿勢が崩れる傾向にあって不都合である。姿勢が崩れればライトが照射する標的からズレて不都合である。またこの様なクリップでライトアームを取り付けるに際し、パーティションの上辺に取り付けるのであればクリップは下向きにして取り付けることとなるが、高い箇所で下向きにクリップを止めるのはその作業が困難である。
又、クリップ以外の方法で取り付けても、アームをテコにしたこねる動きにより取り付けが不安定になりやすく、やはり不都合である。
【０００４】
このような問題を鑑み、本願発明はパーテーション等の所定箇所に、アーム部材を取り付ける際に、その着脱作業を容易にし、且つ、取付強度が強く、アームの姿勢が安定するアーム部材の取付構造を提供することである。
【０００５】
【課題を解決するための手段】
上記の問題を解決するため、請求項１記載の発明は、パーティションや陳列棚などの所定箇所に取り付けるアーム部材と、この取り付けの際には取り付ける所定箇所に予め設けておき前記アーム部材の取り付け台座を成す笠木と、からなるアーム部材の取付構造であって、
前記アーム部材は、軸部とこの軸部の先端側に設けられるアームと前記軸部の基端側に設けられるアンカー部を有し、
前記笠木は、前記軸部の基端側を挿入させる挿入部と、前記基端側の前記アンカー部を抜止めさせる抜止め部と、前記挿入部の所定周囲に立設した立設部とを有し、
前記抜止め部は、前記軸部の基端側を前記挿入部に挿入すると共にこの軸部を軸とした回動操作を所定の角度位置まですることにより前記アンカー部に係止して抜止めを成し、その際には前記アームが前記笠木の立設部に載った状態での下支え状態に支持されると共に、前記軸部を回動操作前の角度位置に戻すことにより前記抜止めが解除される様に形成され、
前記立設部が前記挿入部を中心に挟む位置に対峙して二つ設けられ、更に軸部には前記二つの立設部の間隔長を直径とすると共に前記軸部を中心とする周面を有すフランジ部が設けられることにより、前記軸部を前記挿入部に挿入して回動操作を行う際には、前記フランジ部が立設部の側部に摺動ガイドされて前記軸部の回動の中心決めを成し、且つ、前記軸部を前記フランジ部によって横支え状態に支持することをその要旨とした。
【０００６】
所定の角度位置とは取り付け完了した際にとるべきアームの角度位置であり、一般にはパーティションに直角な角度であるがこれに限らない。また立設部を立設する「挿入部の所定周囲」とは、取り付け完了したアームの下に位置してアームを下支えできる場所のことであり、従って立設部の高さはアームを下支えできる高さに形成される。
アンカー部と抜止め部は公知のどの様な手段でもよく、挿入部に挿入して回動することにより抜止めの係止が成されるものであればどの様な構成であってもよい。
【０００７】
立設部は形状を特定するものではなく、平面壁を２つ向かい合わせた形状であっても、内周面状の壁を２つ向かい合わせたものであってもよく、回動が容易になる程度に軸部の中心決めの成されるものであれば全てを含む。
【０００８】
請求項２記載の発明は、軸部には挿入部に臨んで進退可能な回止めが装着され、前記回止めは、前記軸部を所定の角度位置へ回動操作したときに挿入部に係合して軸部の回動を規制することをその要旨とした。
挿入部とこれに係合する回止めとはどの様な構成であってもよく、アーム部材側の回止めが笠木側の挿入部に挿入されてアーム部材の回動が規制されるようなものであってもよく、或いは挿入部に何等かの突出形状が設けられており、これに回り止めが係止して回動を阻止する様なものでもよく、その他どの様なものであってもよい。
【０００９】
請求項３記載の発明は、挿入部が二の長尺材を平行配置に設けてなす均一幅の挿入溝として形成されると共に、前記長尺材が抜止め部を成し、軸部に設けられたアンカー部は、前記挿入溝に挿入可能な形状であると共に、挿入して所定の角度位置に回動することにより前記抜止め部に係止する形状であることをその要旨とした。
【００１０】
挿入部が長尺材による溝で形成されるため挿入溝もこれに対応した長手なものである。よってアーム部材の挿入位置は長手のどの位置であってもよく、従って立設部も挿入溝を中心とした長手で平行な２つの立設部となる。
【００１１】
【発明の実施の形態】
本願発明の好ましい実施例について図面を参照して説明を行う。
実施例の取付構造は、アーム部材１と、所定箇所に予め設けておきアーム部材１の取り付け台座を成す笠木１００とで構成されている。
【００１２】
笠木１００は図１に示すようにパーテーションＡの上辺に取り付けておくものであり、パーテーションＡの上辺と同様に長尺状を成し、断面は鋼材のＨ鋼に類似した形状になっている。即ち、図２に示すように、２つの側板１１０，１１０がパーテーションＡの厚み幅を隔てて連結板１２０によりＨ状に繋がれ、この側板１１０，１１０の上方が対峙して設けられる立設部１１１，１１１を成している。この２つの立設部１１１，１１１の内側には、２つのＬ字板１３０，１３０がＬ字の起立部１３１，１３１を背中合わせにすると共に図２の断面図中にて左右対称に且つ連結板１２０から浮かして設けられている。このＬ字板１３０，１３０によりＬ字の起立部１３１，１３１に挟まれてできた均等幅の溝１４０が挿入部１４１としての挿入溝１４１’を成し、またＬ字の底辺部１３２’が抜止め部１３２としての長尺材を成している。
【００１３】
なお図面において、笠木１００を断面Ｈ状として、笠木１００の下部の形状をパーテーションＡの上辺を挟み込む二股形状で記載してあるが、これに限らず笠木１００の取付対象によって種々の形状が存在する。
また、挿入部１４１及び抜止め部１３２は、Ｌ字板１３０の替わりに、Ｌ字の起立部１３１を省略したものを用いて形成したものでもよい。
実施例の笠木１００は長尺状に形成させたが、短寸のものであってもよく需要者の事情に合わせて所望の長さ、大きさの笠木を選択すればよい。
【００１４】
抜止め部１３２は、次に説明する軸部１０の基端側を挿入部１４１に挿入すると共にこの軸部１０を軸とした回動操作を所定の角度位置まですることにより、アンカー部３０を係止させて軸部１０が抜止めされるように形成される。その際にはアーム２０が笠木１００の立設部１１１に載った状態での下支え状態に支持される。
【００１５】
次にアーム部材１を説明する。本実施例のアーム部材１は全てスティール製であり、図３、図４に示すように、円柱状の軸部１０と、この軸部１０の上端側にて軸部１０に直角に貫通取付させたパイプ材によるアーム２０と、軸部１０の基端側に設けられるアンカー部３０と、軸部１０中段に設けられたフランジ部４０と、このフランジ部４０の上面側にて軸部１０に遊嵌された回止め５０とを有している。アーム２０の先端Ｂは用途に応じた形状なり目的物の取り付けなりをすればよい。例えばライトを設けておくなどするのである。
【００１６】
アーム２０はその基端を軸部１０の上端側に貫通させてある取付孔１１に挿し込み、軸部１０の頂面１２からネジ１３でネジ止めしてある。また笠木１００において、その立設部１１１は、アーム部材１を笠木１００に取り付けた際に、アーム１０が立設部１１１に載ることのできる高さに形成されていて、アーム１０を下支え状態に支持するようになっている。なおアーム２０は、上記に限らず自在に変形することが可能なものを設けたり、軸部１０とアームを２０一体型にしたものであってもよく、必要に応じてライト、荷掛フック等をアーム部に装着すればよい。
【００１７】
アンカー部３０は、挿入溝１４１’の溝幅Ｗ１（図２）より大きな直径の円板から図５に示すように左右の円弧３１，３１を切り落とし、これにより挿入溝１４１’に挿入できる幅Ｓ１の略長方形にしたものを、軸部の基端にて垂直に固設したものである。これによりアンカー部３０は軸部の方向から見た形状が、挿入溝１４１’の略溝幅の短手Ｓ１とこれより長い長手Ｌ１を有す様に形成され、図６(ａ)に示すようにアンカー部３０の長手方向を挿入溝１４１’の方向に合わせて挿入することができる様になっている。その際、アンカー部３０の長手方向はアーム２０と４５°ずれた方向にしてあり、従ってアンカー部３０を挿入溝１４１’に挿入するときアーム２０は笠木１００に対して４５°斜めになった状態である。
これにより図７に示すようにアンカー部３０を挿入溝１４１’に挿入してＬ字板１３０の下方にまで通過させ、その後にアーム２０をレバーの様に操作して、笠木１００と垂直になる角度位置Ｋに回動操作すると、図６(ｂ)に示すようにアンカー部３０もＬ字板１３０の下で回動して挿入溝１４１’に架け渡された状態となり、結果、アンカー部３０としての抜け止め効果を得ることができる。
【００１８】
フランジ部４０は、図８に示すようにスティールの厚円板の円弧４１，４１を切り落とした形状でアンカー部３０と類似した略長方形を成し、軸部１０中段の位置に貫通固設してある。フランジ部４０の長手両端には、軸部２０を中心とし立設部１１１，１１１の間隔長Ｗ２（図２）を直径とする周面Ｆ，Ｆが形成されている。従って軸部１０を挿入溝１４１’に挿入すると、フランジ部４０は図９に示すようにその周面Ｆ，Ｆが立設部１１１，１１１の側面１１１’，１１１’に接触することとなり、アーム２０をレバーのように回動操作すると、フランジ部４０が側部１１１’，１１１’に摺動ガイドされるので軸部２０の回動の中心決めを成し、回動操作を容易にする。また軸部２０がフランジ部４０によって横支え状態に支持されるので、アーム２０の姿勢が安定する。
【００１９】
回止め５０は、図４の図中に示したように長方形のスティール板をアームと直角になる向きで軸部１０に遊嵌させたものであり、図３に示すようにフランジ部４０とアーム２０との間で上下移動可能にしてある。また回止め５０はその短手幅Ｓ２が挿入溝１４１’の溝幅Ｗ１よりやや狭くしてある。更に長手の両端が基端側に折り曲げて係止部５１，５１を形成してあり、フランジ部の長手辺に凹設された収納凹部４２，４２から垂れた形状でフランジ部４０の下に突き出させてある。その為、回止めは収納凹部に規制されて常にアームと直角に保たれると共に、挿入部としての挿入溝１４１’に臨んで進退可能に装着された状態となる。
この様に回止め５０が構成されることにより、軸部１０が挿入溝１４１’に挿入されると共に、アーム２０が笠木１００と直角になる様に回動操作されると、図１０に示した様に回止め５０の長手が挿入溝１４１’の方向と揃って係止部５１，５１がフランジ部４０越しに挿入溝１４１’の中に落とし込まれることとなり、この係止部がストッパーとなってアーム２０は笠木１００に直角な角度位置で回止めされた状態となる。
【００２０】
次に、本願発明であるアーム部材の取付構造の使用方法を説明する。
まずアーム部材１を笠木１００に装着させるには、図７に示すように、アーム部材１のアンカー部３０を、笠木１００の挿入溝１４１’に挿入する。アーム部材１を笠木１００へ挿入する際は、図９に示すようにそのアーム２０を笠木１００に対して４５°傾けた状態で挿入する。
この状態で挿入すると、アンカー部３０の長手方向が挿入溝１４１’の方向に揃うため挿入可能となり、２つのＬ字材１３０，１３０の間に形成されている挿入溝１４１’を通過するところまで挿し込む。ここまで挿し込むと、回止め５０はその係止部５１がＬ字板１３０の起立部１３１と４５°にクロスしたクロス点Ｐ（図９）で当たって持ち上げられた状態となっている。
【００２１】
次に、軸部１０を中心としてアーム２０をレバーのように回動操作すると、フランジ部４０が立設部１１１，１１１の側部１１１’，１１１’に摺動ガイドされて軸部１０の中心決めを成すことにより円滑に回動される。そしてアーム２０が笠木１００に対して（つまりパーティションＡに対して）直角な角度位置へと回動操作されると、図１０に示したように、アンカー部３０はＬ字板１３０に架け渡された状態となり抜け止めが成される。また図１１に示すようにフランジ部４０で軸部１０が横支えされており、更には、アーム２０が立設部１１１に載った状態での下支え状態で指示されるるので、アーム部材１はそのアーム２０が下がることなく安定しする。
またその際には、係止部５１が挿入溝１４１’に落とし込まれ、ストッパーとして機能してアーム部材１の回動を規制し、つまりアーム２０が左右に回ることなく安定してパーティションＡに対し直角に保たれる。
【００２２】
アーム部材１を笠木１００から取り外す時は、回止め５０を持ち上げ挿入溝１４１’から係止部５１を外して回動規制を解除すると共に、アーム２０を４５°戻して回動操作前の角度位置（図９）に戻すことにより、アンカー部３０の抜止めが解除されてアーム部材１を笠木１００から取り外すことができる。
【００２３】
上記のことから、アーム部材１の笠木１００への取り付けは、笠木１００の挿入溝１４１’を利用するため、挿入溝方向の任意な位置に取り付けることができ、アーム部材１の取り付け及び取り外しの作業は所定の角度位置への回動操作を行うのみで行うことができ非常に容易であると共に、アンカー部３０の抜止めと、立設部１１１によるアーム２０の下支えと、フランジ部４０による軸部１０の横支えによりアーム部材１を確実に支持し、アーム２０に重量物を取り付けた際も、容易に外れたり首が下がることもなく高い取付強度を持つ。そして、アーム部材１の回止め５０に形成された係止部５１を笠木１００の挿入部１４１としての挿入溝１４１’に落とし込むことにより、アーム２０が左右に回ることがなく安定する。
【００２４】
なお、実施例に基づいて本発明を説明したが、本発明は実施例に何ら限定されるものでなく、本発明の趣旨を逸脱しない範囲で様々な改良、変形が可能でる。アーム部材はライトに限らず、何等かの目的に用いるものであればどの様なものであってもよい。アームは一般に長尺であるが、用途によっては短尺であってもよい。笠木は何等かの被取付物とは別体で、この被取付物に固設しておくのが一般であるが、被取付部の一部が笠木として形成されたものであってもよい。笠木は軸部の挿入方向が垂直であるに限らず、傾斜した角度や水平な角度方向に挿入するような構成であってもよい。従って、下支えの下とは重力方向に限定するものではなく、アームと笠木の相対的な位置関係を云うものである。
【００２５】
【発明の効果】
本願発明はパーテーション等の所定箇所に、アーム部材を取り付ける際に、その着脱作業を容易にし、且つ、取付強度が強く、アームの姿勢が安定するアーム部材の取付構造を提供することができる。
特に請求項１記載の発明では、笠木にアーム部材を挿入してアームを回動するだけで確実な取り付けが容易な作業により行うことができ、取り外しも同様に容易である。また取り付けられた際には、アームが笠木の立設部で下支えされるのでアームは下がることなく安定した姿勢が保たれる。またアームに荷重が加わっても下支えにより支持強度と安定が得られる。また、フランジ部の存在により上記の回動操作時にはその回動の中心決めが成され、回動操作自体を安定してスムーズに行うことができ、この点でも操作が容易になる。またフランジ部が軸部を横支えに支持するので結果的にアームの支えが確実となり、この点でもアームの姿勢が安定する効果が得られる。
【００２６】
また請求項２記載の発明では、アーム部材は取り付けられると同時に回止めが効き、アームが左右に回ることはなく、物が当たったり力が加わってもアームの左右姿勢が崩れるようなことがない。
【００２７】
請求項３記載の発明においては、挿入部としての挿入溝の存在により、挿入する位置を溝沿いの任意位置に選ぶことができ、つまりアーム部材の取り付け位置が自由に選べる。
【図面の簡単な説明】
【図１】  この図は、本願発明の取付構造に用いられる笠木の説明図である。
【図２】  この図は、笠木の断面図である。
【図３】  この図は、本願発明の取付構造に用いられるアーム部材の切り欠き斜視図である。
【図４】  この図は、アーム部材の分解図である。
【図５】  この図は、アンカー部の平面図である。
【図６】  この図は、アンカー部が笠木の挿入溝に挿入され抜け止めとなる仕組みの説明図である。
【図７】  この図は、アーム部材を笠木に取り付ける際の操作を説明する図である。
【図８】  この図は、フランジ部の平面図である。
【図９】  この図は、アーム部材を笠木に挿し込み回動操作する前の様子を平面透視図的に説明する図である。
【図１０】  この図は、アーム部材を笠木に挿し込み回動操作して取り付け完了した際の様子を平面透視図的に説明する図である。
【図１１】  この図は、アーム部材を笠木に取り付け完了した図１０の様子を笠木の方向から説明する図である。
【図１２】  この図は、従来のクリップにより取り付けられるライトの説明図である。
【符号の説明】
１  アーム部材
１０  軸部
２０  アーム
３０  アンカー部
４０  フランジ部
５０  回止め
５１  係止部
１００  笠木
１１１  立設部
１３０  Ｌ字板
１４０  挿入部
１４１  挿入部１４０としての挿入溝
【図１】
0004403570.tif 000002
【図２】
0004403570.tif 000003
【図３】
0004403570.tif 000004
【図４】
0004403570.tif 000005
【図５】
0004403570.tif 000006
【図６】
0004403570.tif 000007
【図７】
0004403570.tif 000008
【図８】
0004403570.tif 000009
【図９】
0004403570.tif 000010
【図１０】
0004403570.tif 000011
【図１１】
0004403570.tif 000012
【図１２】
0004403570.tif 000013